(57)【要約】【課題】  肢部圧迫装置において、搭載される電池の残量を監視する。【解決手段】  肢部圧迫装置であって、カフ部に送気することで前記カフ部を加圧する加圧手段と、前記カフ部の排気を行う排気手段と、前記加圧手段と前記排気手段とを制御することで、肢部の圧迫と解放を、予め定められたサイクル数、繰り返す制御手段と、を備え、前記制御手段は、前記肢部の圧迫と解放を、予め定められたサイクル数、繰り返した場合に消費された消費電力を算出し、当該算出した消費電力を、該予め定められたサイクル数、繰り返すごとに加算していくことで、積算消費電力を算出することを特徴とする。【選択図】  図１
2012210363.tif 000002
【特許請求の範囲】
【請求項１】
肢部に巻かれるカフ部が着脱可能に接続され、当該カフ部への送気及び当該カフ部からの排気を制御することで、肢部の圧迫と解放を、予め定められたサイクル数、繰り返す肢部圧迫装置であって、
電源部と、
前記カフ部に送気することで前記カフ部を加圧する加圧手段と、
前記カフ部の排気を行う排気手段と、
前記加圧手段と前記排気手段とを制御することで、前記肢部の圧迫と解放を、予め定められたサイクル数、繰り返す制御手段と、を備え、
前記制御手段は、前記肢部の圧迫と解放を、予め定められたサイクル数、繰り返した場合に前記電源部にて消費された消費電力を算出し、当該算出した消費電力を、該予め定められたサイクル数、繰り返しすごとに加算していくことで、前記電源部における積算消費電力を算出することを特徴とする肢部圧迫装置。
【請求項２】
前記制御手段は、前記肢部圧迫装置を駆動するための電源部の残量を、前記算出された積算消費電力に基づいて算出することを特徴とする請求項１に記載の肢部圧迫装置。
【請求項３】
接続されたカフ部の種類及び個数を識別する識別手段を更に備え、
前記制御手段は、前記算出された消費電力を、前記識別されたカフ部の種類及び個数と対応付けて記憶することを特徴する請求項２に記載の肢部圧迫装置。
【請求項４】
前記制御手段は、前記肢部の圧迫と解放を繰り返す前に、前記識別手段において識別されたカフ部の種類及び個数に対応付けて記憶されている前記消費電力を読み出し、該読み出した消費電力に基づいて、前記肢部の圧迫と解放を繰り返した場合に消費される電力である予測消費電力を算出することを特徴とする請求項３に記載の肢部圧迫装置。
【請求項５】
前記制御手段は、前記算出された残量と、前記算出された予測消費電力とに基づいて、前記肢部の圧迫と解放を繰り返すことが可能か否かを判定し、可能でないと判定された場合に、警報を出力することを特徴とする請求項４に記載の肢部圧迫装置。
【請求項６】
前記制御手段は、前記算出された残量と、前記算出された予測消費電力とに基づいて、前記肢部の圧迫と解放を繰り返すことが可能か否かを判定し、可能であると判定された場合に、前記算出された残量を前記算出された予測消費電力で除算することで、使用可能回数を算出し、表示することを特徴とする請求項４に記載の肢部圧迫装置。
【発明の詳細な説明】
【技術分野】
【０００１】
本発明は、上肢及び／または下肢へのカフによる圧迫と解放を制御することで、患者の上肢及び／または下肢を虚血状態（圧迫状態）と潅流状態（解放状態）とにする肢部圧迫装置に関するものである。
【背景技術】
【０００２】
虚血性疾患の治療において、心筋虚血による心筋細胞への影響を軽減させることは不可欠な課題である。早期の再潅流は心筋を保護するために重要であり、一般には、血栓溶解剤を用いた処置が行われる。また、最近では、アンギオによる血管造影を行い、虚血部位を観察しながらカテーテルを用いて再潅流を行うＰＴＣＡによる処置も行われている。
【０００３】
早期の再潅流を実現するためのこれらの処置による効果は絶大であるが、一方で、心筋に対するダメージも大きい。具体的には、再潅流による心筋細胞への障害や炎症が発生することで、虚血障害部位が拡大してしまうといった問題（再潅流シンドローム）があり、治療上の大きな課題となっている。
【０００４】
この原因は、心筋細胞が産生する活性酸素であり、再潅流に際しては、この産生を抑えることが重要となってくる。
【０００５】
これに対して、再潅流を行う前に、虚血発生部位から離れた部位、例えば、上腕部や下肢部の圧迫／解放を繰り返し、虚血状態と再潅流状態とを交互に遷移させることで、虚血発生部位である心筋に対して害を与える活性酸素の発生を抑制する遠隔部短時間反復虚血法が提案されている。
【０００６】
遠隔部短時間反復虚血法によれば、反復刺激により細胞内媒介物質が細胞内変異、または細胞間変異を起こし、活性酸素の発生に寄与する酵素であるキナーゼの誘導を抑えることができる。また、心筋細胞のＡＴＰの代謝を抑え、心筋細胞内のミトコンドリアの機能を調整することで細胞活性が抑えられ、これにより、活性酸素の産生を抑えることができる。
【０００７】
そして、このような再潅流シンドロームを抑制するための遠隔部短時間反復虚血法を実現する装置として、従来より、肢部圧迫装置が提案されている。具体的には、下記特許文献１に、虚血時間や潅流時間、虚血圧力等を任意に設定可能な構成が開示されており、更に、下記特許文献１には、当該肢部圧迫装置が、医療施設外での携帯使用が可能である旨、記載されている。
【先行技術文献】
【特許文献】
【０００８】
【特許文献１】特開２０１０−５１２１７６号公報
【発明の概要】
【発明が解決しようとする課題】
【０００９】
しかしながら、肢部圧迫装置を持ち運び可能に構成した場合、持ち運び先での電源が確保されていることが不可欠となる。これに対して、肢部圧迫装置に電池を搭載させ、任意の持ち運び先で使用できる構成とすることが考えられる。
【００１０】
しかしながら、遠隔部短時間反復虚血法は、緊急時に確実に実施する必要があることから、処置を行うにあたっては、電池切れ等により途中で中断するといったことがないよう構成されている必要がある。このため、肢部圧迫装置を電池で駆動させるためには、電池残量の監視が重要となってくる。
【００１１】
一方で、遠隔部短時間反復虚血法による処置は、患者ごとに使用されるカフ部の個数やサイズ、設定される虚血圧力や虚血時間等が異なってくるうえ、虚血状態／潅流状態を４サイクル繰り返すことで、処置が完了することから、１回の処置における消費電力にもばらつきがある。このようなことから、電池での駆動を実現するにあたっては、電池残量に対する処置の実行可否を正確に判断できるように構成することが望ましい。
【００１２】
本発明は上記課題に鑑みてなされたものであり、患者に対して遠隔部短時間反復虚血法による処置を施す肢部圧迫装置において、搭載される電池の残量を監視し、処置の実行可否を正確に判断できるようにすることを目的とする。
【課題を解決するための手段】
【００１３】
上記の目的を達成するために、本発明に係る肢部圧迫装置は以下のような構成を備える。即ち、
肢部に巻かれるカフ部が着脱可能に接続され、当該カフ部への送気及び当該カフ部からの排気を制御することで、肢部の圧迫と解放を、予め定められたサイクル数、繰り返す肢部圧迫装置であって、
電源部と、
前記カフ部に送気することで前記カフ部を加圧する加圧手段と、
前記カフ部の排気を行う排気手段と、
前記加圧手段と前記排気手段とを制御することで、前記肢部の圧迫と解放を、予め定められたサイクル数、繰り返す制御手段と、を備え、
前記制御手段は、前記肢部の圧迫と解放を、予め定められたサイクル数、繰り返した場合に前記電源部にて消費された消費電力を算出し、当該算出した消費電力を、該予め定められたサイクル数、繰り返しすごとに加算していくことで、前記電源部における積算消費電力を算出することを特徴とする。
【発明の効果】
【００１４】
本発明によれば、患者に対して遠隔部短時間反復虚血法による処置を施す肢部圧迫装置において、搭載される電池の残量を監視し、処置の実行可否を正確に判断できるようになる。
【図面の簡単な説明】
【００１５】
【図１】本発明の一実施形態に係る肢部圧迫装置１００の外観構成を示す図である。
【図２】肢部圧迫装置１００の表示部に表示される表示画面の一例を示す図である。
【図３】肢部圧迫装置１００を用いて、患者に対して、遠隔部短時間反復虚血法による処置を施す様子を示した図である。
【図４】肢部圧迫装置１００の機能構成を示す図である。
【図５】肢部圧迫装置１００における遠隔部短時間反復虚血処理の流れを示すフローチャートである。
【図６】肢部圧迫装置１００における遠隔部短時間反復虚血処理の流れを示すフローチャートである。
【図７】肢部圧迫装置１００における遠隔部短時間反復虚血処理の流れを示すフローチャートである。
【図８】遠隔部短時間反復虚血法による処置と、電源部の電池残量との関係を示した図である。
【発明を実施するための形態】
【００１６】
以下、本発明の各実施形態について図面を参照しながら説明する。
【００１７】
［第１の実施形態］
１．肢部圧迫装置の外観構成
はじめに、本発明の一実施形態に係る肢部圧迫装置１００の外観構成について説明する。図１は、本発明の一実施形態に係る肢部圧迫装置１００の外観構成を示す図である。
【００１８】
図１において、１０１はハウジングであり、上部側面には、右下肢部、左下肢部、右上腕部、左上腕部にそれぞれ巻き回される不図示のカフ部が取り付けられたカフチューブ１１１〜１１４が接続されるコネクタ部が配されている。
【００１９】
１０２は遠隔部短時間反復虚血処理の開始／停止を指示するためのスイッチであり、１回の押圧により処理が開始され、再度の押圧により処理が停止するよう構成されている。
【００２０】
１０３は表示部であり、遠隔部短時間反復虚血処理を実行するための各種設定値や、実行中の状態等が表示される。なお、表示部１０３に表示される表示画面の詳細は後述する。
【００２１】
１０８は設定値入力部であり、虚血時間の設定値を増減させるための虚血時間設定スイッチ１０４、１０５と、虚血圧力の設定値を増減させるための虚血圧力設定スイッチ１０６、１０７とを備える。
【００２２】
２．表示画面の構成
次に、表示部１０３に表示される表示画面について説明する。図２は、表示部１０３に表示される表示画面の一例を示す図である。図２において、２０１は設定された虚血時間を表示する表示領域であり、２０２は設定された虚血圧力を表示する表示領域である。
【００２３】
また、２０３は虚血中であることを示す表示領域であり、虚血中に点灯する。２０４は潅流中であることを示す表示領域であり、潅流中に点灯する。２０５は残時間表示領域であり、虚血中であれば、虚血状態が完了するまでの残時間を表示し、潅流中であれば、潅流状態が完了するまでの残時間を表示する。
【００２４】
２０６は残サイクル数を表示する残サイクル数表示領域である。なお、本実施形態に係る肢部圧迫装置は、虚血・潅流を１サイクルとした場合、４サイクル分動作した後に、自動的に停止するよう構成されているものとする。
【００２５】
２０７は現在のカフ圧力値を表示するカフ圧力表示領域である。なお、カフ部は、右下肢部用、左下肢部用、右上腕部用、左上腕部用の４種類が接続されるが、いずれのカフ部のカフ圧力値を表示するかは、任意に設定可能であるとする。
【００２６】
２０８は使用可能回数表示領域であり、肢部圧迫装置１００に搭載された電池（後述）の残量と、１回の使用における（４サイクル分の虚血状態と潅流状態とを繰り返した場合の）消費電力とに基づいて算出された使用可能回数を表示する。
【００２７】
２０９は警報表示領域であり、肢部圧迫装置１００が何らかの異常を検出した場合に点滅し、ユーザに異常が発生したことを報知する。なお、肢部圧迫装置１００において検出された異常には、電池の残量が、１回の使用（４サイクル分）における消費電力よりも少なくなった場合等が含まれるものとする。
【００２８】
３．肢部圧迫装置の使用態様
次に、肢部圧迫装置１００の使用態様について説明する。図３は、肢部圧迫装置１００を用いて、患者に対して、遠隔部短時間反復虚血法による処置を施す様子を示した図である。
【００２９】
図３に示すように、カフチューブ１１１の先端には左下肢部用のカフ部３０２が取り付けられており、図３の例では、左足大腿部に巻き回されている。また、カフチューブ１１２の先端には右下肢部用のカフ部３０１が取り付けられており、図３の例では、右足大腿部に巻き回されている。なお、カフ装着部位を、１箇所〜４箇所の間で任意に選択できるよう機能キーを設け、操作者がマニュアルで選択するように構成してもよい。
【００３０】
同様に、カフチューブ１１３の先端には、左上腕部用のカフ部３０３が取り付けられており、患者の左上腕部に巻き回されている。また、カフチューブ１１４の先端には右上腕部用のカフ部３０４が取り付けられており、患者の右上腕部に巻き回されている。
【００３１】
このように、本実施形態に係る肢部圧迫装置１００では、患者の四肢のうち任意の箇所をカフ部３０１〜３０４を用いて空気圧で圧迫できるように構成されている。
【００３２】
４．肢部圧迫装置の機能構成
次に、肢部圧迫装置１００の機能構成について説明する。図４は、肢部圧迫装置１００の機能構成を示す図である。図４に示すように、肢部圧迫装置１００は、圧力制御ユニット４００〜４３０と制御部４４０と操作部１０８と表示部１０３と電源部４５０と不揮発性メモリ４６０とを備える。なお、制御部４４０は、マイクロコンピュータなどのＣＰＵとＣＰＵにより実行される装置全体の制御プログラムや各種データを記憶するＲＯＭとワークエリアとして測定データや各種データを一時的に記憶するＲＡＭなどを備えているものとする。
【００３３】
圧力制御ユニット４００〜４３０は、圧力制御対象であるカフ部（３０１〜３０４）の数に対応した数だけ設けられており、各処理フローにおいて処理・判断を行う制御部４４０からの指示に基づいて、各カフ部ごとに別々に圧力制御できるよう構成されている。なお、各圧力制御ユニット４００〜４３０は同様の構成を有することから、以下では、カフ部３０１の圧力制御を行う圧力制御ユニット４００について説明する。
【００３４】
圧力制御ユニット４００において、４０１はコネクタ部であり、カフ部３０１が先端に取り付けられたカフチューブ１１１が着脱可能に接続される。なお、コネクタ部４０１に接続されるカフチューブ１１１のコネクタは、カフチューブのサイズが判別できるよう、各サイズごとに決められた数値の抵抗器、またはカフサイズごとに決められた番号が記録されている不揮発性メモリが内蔵されているものとする。
【００３５】
４０８はカフチューブ１１１のサイズまたはカフサイズの認識、およびカフチューブ１１１の接続の有無の検出を行うカフ検出部であり、カフチューブ１１１が取り付けられた場合にこれを検知し、制御部４４０に送信する。なお、制御部４４０では、カフ検出部４０８からの信号に基づいて、接続されたカフ部の個数及び接続されたカフ部の種類（サイズ）を判断する。
【００３６】
４０２は圧力変換器であり、空気配管を介してコネクタ部４０１に接続されている。圧力変換器４０２では、カフ部３０１内の空気圧を検出し、電気信号に変換する。４０３は圧力検出部であり、圧力変換器４０２より出力された電気信号を増幅し、カフ圧力信号として制御部４４０に送信する。
【００３７】
４０４は排気弁であり、空気配管を介してコネクタ部４０１に接続されている。排気弁４０４は、虚血状態（圧迫状態）から潅流状態（解放状態）へと遷移させる場合に、カフ部３０１内の空気を急速排気するために用いられる。
【００３８】
４０５は弁駆動部であり、制御部４４０からの指示に基づいて、排気弁４０４の開閉を制御する。
【００３９】
４０６はポンプであり、空気配管を介してコネクタ部４０１に接続されており、カフ部３０１内のカフ袋に送気する。４０７はポンプ駆動部であり、制御部４４０からの指示に基づいて、ポンプ４０６の駆動／停止を制御する。
【００４０】
制御部４４０には、後述する遠隔部短時間反復虚血処理を実行するためのプログラムが格納されており、操作部１０８からの指示や圧力検出部４０３からの出力に基づいて、弁駆動部４０５、ポンプ駆動部４０７、表示部１０３等を制御する。
【００４１】
４５０は電源部であり、取り換え可能な単１形、単２形、単３形等のアルカリ乾電池からなる１次電池または充電可能な２次電池により構成されている。なお、制御部４４０では、遠隔部短時間反復虚血処理時の電源部４５０の消費電流及び電池電圧を監視し、カフ装着部位が４箇所であることを前提に消費電力を算出する機能が備えられているものとする。また、算出された消費電力を積算し、積算消費電力を算出する機能が備えられているものとする。なお、使用するアルカリ乾電池の放電特性のばらつきを抑えるため、必ず、使用期限内のものであって、かつ、未使用の、指定された製造メーカのものが使用されるものとする。
【００４２】
４６０は不揮発性メモリであり、遠隔部短時間反復虚血処理において取得された情報であって、電源のＯＮ／ＯＦＦに関わらず保持されるべき情報を記憶する。本実施形態に係る肢部圧迫装置１００では、不揮発性メモリ４６０には、電源部４５０におけるこれまでの積算消費電力が記憶される。また、虚血状態と潅流状態とが４サイクル分繰り返された場合に電源部４５０において消費された消費電力が、接続されたカフ部の個数やカフ部のサイズと対応付けて記憶される。
【００４３】
５．遠隔部短時間反復虚血処理の流れ
次に、肢部圧迫装置１００の制御部４４０において実行される遠隔部短時間反復虚血処理の流れについて説明する。図５は、肢部圧迫装置１００の制御部４４０において実行される遠隔部短時間反復虚血処理の流れを示すフローチャートである。
【００４４】
カフ部３０１〜３０４が肢部圧迫装置１００に接続され、肢部圧迫装置１００の電源がＯＮされると、図５に示すフローチャートが実行される。
【００４５】
ステップＳ５０１では、カフ検出部４０８の出力に基づいて、接続されたカフ部のサイズ及び接続されたカフ部の個数を識別する。
【００４６】
ステップＳ５０２では、不揮発性メモリ４６０に、接続されたカフ部の個数及びサイズと対応付けて記憶された消費電力のうち、ステップＳ５０１において識別されたカフ部の個数及びサイズに対応する消費電力についての情報を当該不揮発性メモリ４６０から読み出す。そして、当該読み出した消費電力の平均値を算出し、予測消費電力とする。
【００４７】
ステップＳ５０３では、不揮発性メモリ４６０に記憶された積算消費電力を読み出し、電源部４５０の電池の初期容量に係数（例えば、０．８）をかけることにより得られた値から、当該読み出した積算消費電力を差し引くことで、電源部４５０の電池の残量を算出する。
【００４８】
ステップＳ５０４では、ステップＳ５０２で算出された予測消費電力が、ステップＳ５０３において算出された残量より小さいか否かを判定する。
【００４９】
ステップＳ５０４において、予測消費電力が電源部４５０の電池の残量以上であると判定された場合には、ステップＳ５１３に進み、警報表示領域２０９を点滅させる。一方、ステップＳ５０４において、予測消費電力が電源部４５０の電池の残量よりも小さいと判定された場合には、ステップＳ５０５に進む。
【００５０】
ステップＳ５０５では、残量を予測消費電力で除算することで得られた、電源部４５０の電池の使用可能回数を、表示部１０３の使用可能回数表示領域２０８に表示する。なお、使用可能回数表示領域２０８での使用可能回数の表示をカラー表示にし、例えば、使用可能回数が５回までは緑色、使用可能回数が３〜４回の場合は橙色、使用可能回数が１〜２回の場合は赤色で点灯または点滅するように構成してもよい。
【００５１】
このように制御部４４０では、ポンプ４０６の駆動を開始する前に、電池の残量を確認し、カフ部のサイズや個数に応じた過去の実際の消費電力に基づいて、処置の実行可否を判断する。これにより、電池切れにより処置が途中で中断されてしまうといった事態を回避することが可能となる。
【００５２】
使用可能回数表示領域２０８の表示が、１回以上であることを確認したユーザは、必要に応じて虚血時間や虚血圧力等の設定を行った後、スイッチ１０２を押圧する。
【００５３】
ステップＳ５０６では、ユーザによりスイッチ１０２が押圧されたことを検知すると、ステップＳ５０７では初期設定を行う。具体的には、初期圧力としてゼロを設定するとともに、各種タイマ（加圧時間を計測するタイマ、虚血時間または潅流時間を計測するためのタイマ）をリセットする。
【００５４】
ステップＳ５０８では、圧力検出部４０３より出力されたカフ圧力値の受信を開始し、表示部１０３のカフ圧力表示領域２０７に表示する。
【００５５】
ステップＳ５０９では、弁駆動部４０５に対して、排気弁４０４の全閉を指示する。ステップＳ５１０では、電源部４５０の消費電流及び電池電圧の記録を開始する。
【００５６】
ステップＳ５１１では、ポンプ駆動部４０７に対してポンプ４０６の駆動を指示する。ステップＳ５１１においてポンプ４０６の駆動が開始されると、ステップＳ５１２では、加圧タイマをスタートさせ、図６のステップＳ５２１に進む。
【００５７】
ステップＳ５２１では、加圧タイマのタイマ値が規定値（例えば３０ｓｅｃ）以上となったか否かを判定する。ステップＳ５２１において加圧タイマのタイマ値が規定値以上になっていないと判定された場合には、ステップＳ５２５に進み、圧力検出部４０３より出力されるカフ圧力値が、設定された虚血圧力値以上となっているか否かを判定する。
【００５８】
ステップＳ５２５において、カフ圧力値が、設定された虚血圧力値以上になっていないと判定された場合には、ステップＳ５２１に戻り、加圧タイマのタイマ値が規定値以上になったか否かを判定する。ステップＳ５２１において、加圧タイマのタイマ値が規定値以上になったと判定された場合には、ステップＳ５２２に進み、ポンプ４０６の駆動を停止させるよう、ポンプ駆動部４０７に指示する。また、ステップＳ５２３に進み、排気弁４０４を全開させるよう、弁駆動部４０５に指示する。更に、ステップＳ５２４では、警報表示領域２０９を点滅させる。
【００５９】
このように、制御部４４０では、ポンプ４０６を駆動させカフ部３０１の加圧を開始すると、カフ部３０１内のカフ圧力の監視を行い、規定時間内に設定された虚血圧力値に到達しなかった場合には、何らかの異常があると判断し、ポンプ４０６の駆動を停止し、ユーザに警報を出力する。これにより、ユーザは、加圧過程における異常を早期に検出することが可能となる。
【００６０】
規定時間内に設定された虚血圧力値に到達した場合には、ステップＳ５２６に進み、ポンプ４０６の動作を停止させるよう、ポンプ駆動部４０７に指示する。
【００６１】
ステップＳ５２７では、虚血時間を計測するためのタイマをスタートさせるとともに、表示部１０３の表示領域２０３を点灯させ、虚血中であることをユーザに報知する。ステップＳ５２８では、当該タイマのタイマ値に基づいて、表示部１０３の残時間表示領域２０５に虚血状態が完了するまでの残時間を表示する。なお、残時間は、設定された虚血時間から、虚血時間を計測するためのタイマのタイマ値を差し引くことで算出する。
【００６２】
ステップＳ５２９では、虚血時間を計測するためのタイマのタイマ値が、予め設定されている虚血時間以上となったか否かを判定する。ステップＳ５２９において、虚血時間を計測するためのタイマのタイマ値が、設定された虚血時間以上になっていないと判定された場合には、ステップＳ５２８に戻る。
【００６３】
一方、ステップＳ５２９において、虚血時間を計測するためのタイマのタイマ値が、設定された虚血時間以上になったと判定された場合には、表示領域２０３を消灯した後、ステップＳ５３０に進み、排気弁４０４が全開となるよう、弁駆動部４０５に指示し、図７のステップＳ５４１に進む。
【００６４】
ステップＳ５４１では、圧力検出部４０３より出力されるカフ圧力値が、１５ｍｍＨｇ以下となったか否かを判定する。ステップＳ５４１において、カフ圧力値が、１５ｍｍＨｇ以下になっていないと判定された場合には、１５ｍｍＨｇ以下となるまで待機する。
【００６５】
一方、ステップＳ５４１において、カフ圧力値が、１５ｍｍＨｇ以下になったと判定された場合には、ステップＳ５４２に進み、潅流時間を計測するためのタイマをスタートさせるとともに、表示領域２０４を点灯させ、ユーザに対して潅流中であることを報知する。
【００６６】
更に、ステップＳ５４３では、当該タイマのタイマ値に基づいて、表示部１０３の残時間表示領域２０５に潅流状態が完了するまでの残時間を表示する。なお、残時間は、予め設定されている潅流時間から、潅流時間を計測するためのタイマのタイマ値を差し引くことで算出する。
【００６７】
ステップＳ５４４では、潅流時間を計測するためのタイマのタイマ値が、予め設定されている潅流時間以上となったか否かを判定する。ステップＳ５４４において、潅流時間を計測するためのタイマのタイマ値が、予め設定されている潅流時間以上になっていないと判定された場合には、ステップＳ５４３に戻る。
【００６８】
一方、ステップＳ５４４において、潅流時間を計測するためのタイマのタイマ値が、予め設定されている潅流時間以上になったと判定された場合には、表示領域２０４を消灯した後、ステップＳ５４５に進み、サイクル数をインクリメントする（なお、サイクル数のカウント値には、初期値としてゼロが入力されているものとする）。更にステップＳ５４６に進み、表示部１０３の残サイクル数表示領域２０６に残サイクル数を表示する。なお、残サイクル数は予め定められたサイクル数（４）から、カウントされた現在のサイクル数を差し引くことで算出される。
【００６９】
ステップＳ５４７では、カウントされたサイクル数が、予め定められたサイクル数（４）より大きいか否かを判定し、４未満であると判定された場合には、ステップＳ５０９に戻る。一方、４以上であると判定された場合には、ステップＳ５４８に進む。
【００７０】
ステップＳ５４８では、記録された消費電流及び電池の電圧とに基づいて、今回の４サイクル分の消費電力を算出する。更に、ステップＳ５４９では、不揮発性メモリ４６０に記憶されている積算消費電力に、ステップＳ５４８において算出された消費電力を加算することで、積算消費電力を算出する。
【００７１】
ステップＳ５５０では、ステップＳ５４８において算出された消費電力を、ステップＳ５０１で識別されたカフ部のサイズ及び個数に対応付けて不揮発性メモリ４６０に記憶する。また、ステップＳ５４９において算出された積算消費電力を不揮発性メモリ４６０に記憶し、遠隔部短時間反復虚血処理を終了する。
【００７２】
６．遠隔部短時間反復虚血処理における消費電力の説明
次に、遠隔部短時間反復虚血処理における消費電力について説明する。図８は、遠隔部短時間反復虚血処理における消費電力を模式的に示した図であり、横軸は時間を、縦軸は電池残量をそれぞれ示している。
【００７３】
図８において、８０１、８０２はそれぞれ４サイクルを表しており、虚血状態と潅流状態とが４サイクル繰り返されることで、消費電力８１１、８１２が算出される。
【００７４】
サイクル８０１において接続されたカフ部のサイズ及び個数と、サイクル８０２において接続されたカフ部のサイズ及び個数とは、互いに異なっているため、算出された消費電力も異なる値となる（８１１、８１２参照）。
【００７５】
なお、８１３は、サイクル８０１において算出された消費電力に基づいて算出された予測消費電力を表している。図８の例では、予測消費電力８１３が消費された場合であっても、電池の残量はマイナスにならないことから、使用可能であると判定される。
【００７６】
以上の説明から明らかなように、本実施形態に係る肢部圧迫装置１００では、遠隔部短時間反復虚血処理を実行した際の消費電力を算出し、記憶する構成とした。
【００７７】
この結果、遠隔部短時間反復虚血処理を開始する際に、当該算出した消費電力に基づいて、電源部４５０の電池残量を確認することで、処理の実行可否を正確に判断することが可能となった。
【００７８】
［その他の実施形態］
上記第１の実施形態では、右下肢部用、左下肢部用、右上腕部用、左上腕部用の４つのカフ部を用意し、それぞれ共通の設定値のもと、独立に圧力制御する構成としたが、本発明はこれに限定されない。
【００７９】
例えば、カフ部は４つ以上であっても、４つ未満であってもよい。また、それぞれ別々に設定値を設定できるように構成してもよいし、また、いくつかのカフ部をまとめて圧力制御するように構成してもよい。
【符号の説明】
【００８０】
１００：肢部圧迫装置、１０１：ハウジング、１０２：開始／停止スイッチ、１０３：表示部、１０４・１０５：虚血時間設定スイッチ、１０６・１０７：虚血圧力設定スイッチ、１０８：操作部、１１１〜１１４：カフチューブ、２０１：虚血時間を表示する表示領域、２０２：虚血圧力を表示する表示領域、２０３：虚血中であることを示す表示領域、２０４：潅流中であることを示す表示領域、２０５：残時間表示領域、２０６：サイクル数表示領域、２０７：カフ圧力表示領域、２０８：使用可能回数表示領域、２０９：警報表示領域、３０１：右下肢部用カフ部、３０２：左下肢部用カフ部、３０３：右上腕用カフ部、３０４：左上腕用カフ部
【図１】
2012210363.tif 000003
【図２】
2012210363.tif 000004
【図３】
2012210363.tif 000005
【図４】
2012210363.tif 000006
【図５】
2012210363.tif 000007
【図６】
2012210363.tif 000008
【図７】
2012210363.tif 000009
【図８】
2012210363.tif 000010